(57)【要約】【課題】  トラッキング方式としてＤＰＤ法が採用される場合において、トラッキングエラー信号の精度悪化の防止を図る。【解決手段】  受光信号中に得られる最短ピット長による信号成分のうち、充分な振幅レベルが得られずノイズ成分に埋もれている可能性のある信号成分については２値化を行わないように、２値化回路に所要のヒステリシス幅を持たせた閾値を設定する。ノイズ成分に埋もれた信号成分について２値化が行われないことで、位相比較信号として正確な信号を得ることができ、トラッキングエラー信号の精度悪化が防止される。  このとき、受光信号のエンベロープ幅に応じてヒステリシス幅を可変することで、受光信号のレベルが変化した場合にも確実にノイズ成分に埋もれている可能性のある信号成分を２値化しないようにできる。【選択図】図２
2006053968.tif 000002
【特許請求の範囲】
【請求項１】
光ディスク記録媒体の記録面に対して照射されたレーザ光の反射光を受光する複数の受光素子と、
上記複数の受光素子のうちの一の受光素子からの受光信号が各々に供給されると共に、所要のヒステリシス幅を有する閾値が設定されたことで、上記受光信号中に得られる少なくとも最短ピット長による信号成分のうち、所定以下の振幅レベルとなる信号成分を除いた上記受光信号について２値化を行うようにされた複数の２値化回路と、
上記複数の２値化回路から出力される２値化信号の位相差を検出した結果に基づき、トラッキングエラー信号を生成するトラッキングエラー信号生成手段と、
を備えることを特徴とするトラッキングエラー信号生成回路。
【請求項２】
光ディスク記録媒体の記録面に対して照射されたレーザ光の反射光を受光する複数の受光素子と、
上記複数の受光素子のうちの一の受光素子からの受光信号が各々に供給されると共に、所要のヒステリシス幅を有する閾値が設定されたことで、上記受光信号中に得られる所定ピット長による信号成分のうち、そのピット長による信号成分の平均の振幅レベル以下となる信号成分を除いた上記受光信号について２値化を行うようにされた複数の２値化回路と、
上記複数の２値化回路から出力される２値化信号の位相差を検出した結果に基づき、トラッキングエラー信号を生成するトラッキングエラー信号生成手段と、
を備えることを特徴とするトラッキングエラー信号生成回路。
【請求項３】
上記２値化回路は、
上記受光信号のエンベロープ幅に応じて上記ヒステリシス幅を可変するように構成される、
ことを特徴とする請求項１及び請求項２に記載のトラッキングエラー信号生成回路。
【請求項４】
さらに、上記受光素子が出力する受光信号についてイコライジング処理を行うイコライザを備え、
上記イコライザは、ブースト帯域の中心が上記受光信号中に得られる最短ピット長による信号成分の周波数よりも低周波寄りにシフトされるように設定されている、
ことを特徴とする請求項１及び請求項２に記載のトラッキングエラー信号生成回路。
【発明の詳細な説明】
【技術分野】
【０００１】
本発明は、特に位相差法（ＤＰＤ：Differential Phase Detection）によりトラッキングエラー信号を生成するトラッキングエラー信号生成回路に関する。
【背景技術】
【０００２】
従来より光ディスク記録媒体についての少なくとも再生を行う光ディスク装置においては、トラッキング方法として、プッシュプル法、３ビーム法、ＤＰＤ（Differential Phase Detection）法等が採られてきた。
これらのうち、ＤＰＤ法では、複数の受光素子からの受光信号の位相差を検出し、その結果に基づいてトラッキングエラー信号を生成するようにされる。そして、このようなＤＰＤ法は、記録トラックの高密度化に対しても比較的良好なトラッキングエラー信号が生成できることから、近年の高密度ディスクに対応する光ディスク装置に対して採用される機会が多くなってきている。
【０００３】
なお、関連する従来技術については以下の文献を挙げることができる。
【特許文献１】特開平４−３３７５６５号公報
【特許文献２】特開平１０−１６２３８１号公報
【発明の開示】
【発明が解決しようとする課題】
【０００４】
ところで、光ディスク記録媒体の高記録密度化が進むことによっては、光ディスク記録媒体に形成される記録ピットの長さとしても短かくなっている場合がある。
そして、このように高密度化に伴いピットの長さが短くなった場合、受光信号は高周波となり、特に受光信号中に得られる最短ピット長による信号成分は充分な信号振幅が得られなくなる可能性が高くなる。
【０００５】
このように周波数が高くなり振幅が低下することで、上記のような最短ピット長による信号成分は、部分的にノイズ成分に埋もれてしまう可能性が高くなり、この部分は正確な信号検出を行うことができなくなる可能性がある。
そして、このように正確に信号検出ができなくなることに伴っては、上記したＤＰＤ法を採用する場合において正確な位相差情報を得ることができなくなって、トラッキングエラー信号としても精度が悪化してしまう虞がある。
【課題を解決するための手段】
【０００６】
そこで、本発明では以上のような問題点に鑑み、トラッキングエラー信号生成回路として以下のように構成することとした。
つまり、先ず、光ディスク記録媒体の記録面に対して照射されたレーザ光の反射光を受光する複数の受光素子を備える。
そして、上記複数の受光素子のうちの一の受光素子からの受光信号が各々に供給されると共に、所要のヒステリシス幅を有する閾値が設定されたことで、上記受光信号中に得られる少なくとも最短ピット長による信号成分のうち、所定以下の振幅レベルとなる信号成分を除いた上記受光信号について２値化を行うようにされた複数の２値化回路を備える。
さらに、上記複数の２値化回路から出力される２値化信号の位相差を検出した結果に基づき、トラッキングエラー信号を生成するトラッキングエラー信号生成手段を備えるようにした。
【０００７】
上記構成によれば、受光信号中に得られる少なくとも最短ピット長による信号成分のうち、所定以下の振幅レベルとなる信号成分については２値化が行われないものとなる。すなわち、ピット長の短い信号成分ほど、光ディスク記録媒体が高記録密度とされた場合に部分的にノイズ成分に埋もれてしまう可能性が高くなるが、上記構成によれば、このようなノイズ成分に埋もれてしまう可能性のある所定以下の振幅レベルとなる部分については、信号成分であっても２値化は行わないようにすることができる。
このようにして、信号成分であってもノイズ成分に埋もれてしまう可能性が高い部分については２値化を行わないようにすれば、例えば最短ピット長による信号成分のすべてについて２値化を行う場合のように各２値化信号の位相差がノイズにより不正確となってしまうことを防止できる。つまり、これによってトラッキングエラー信号としても正確な信号を生成することができる。
【発明の効果】
【０００８】
このようにして本発明によれば、光ディスク記録媒体の高記録密度化に伴い受光信号が高周波化する場合にも、トラッキングエラー信号の精度悪化を防止することができる。
【発明を実施するための最良の形態】
【０００９】
以下、発明を実施するための最良の形態（以下実施の形態とする）について説明していく。
図１は、本発明における実施の形態としてのトラッキングエラー信号生成回路１の構成を示すブロック図である。
先ず、実施の形態のトラッキングエラー信号生成回路１としては、ＤＰＤ（Differential Phase Detection）法によるトラッキング方式に対応した構成が採られる。
また、この場合のトラッキングエラー信号生成回路１としては、例えばブルーレイディスク（Blu-ray Disc）の再生専用ディスクについて再生を行う光ディスク装置に適用される場合を例に挙げる。
【００１０】
図１において、ディテクタ２は、この場合はブルーレイディスクとされる光ディスク記録媒体の記録面に対して照射されたレーザ光の反射光を検出するようにされる。このディテクタ２は、４分割ディテクタであり、図示するようにディテクタＡ、ディテクタＢ、ディテクタＣ、ディテクタＤを備えるようにされている。
【００１１】
これら各ディテクタＡ〜Ｄのそれぞれに対しては、図示するようにイコライザ３と２値化回路４とが設けられる。イコライザ３は、対応するディテクタより供給される受光信号に対して所要のイコライジング処理を行い、これを２値化回路４に対して供給する。
そして、２値化回路４は、イコライザ３より供給される受光信号について２値化を行う。
【００１２】
さらに、このように各２値化回路４により２値化された受光信号の各組について、位相比較を行う２つの位相比較回路５、５が設けられる。
ここで、この場合においては、ディテクタＡとディテクタＣとに得られる受光信号の位相が同相とされる関係にあり、ディテクタＢとディテクタＤとに得られる受光信号の位相が同相とされる関係にあるものとする。つまり、ディテクタＡ、ディテクタＣ側に得られる受光信号の位相と、ディテクタＢ、ディテクタＤ側に得られる受光信号の位相とが異なるようにされているものである。
そして、実施の形態の場合、一方の位相比較回路５は、ディテクタＡとディテクタＢとに得られた受光信号に基づく２値化信号を入力するようにされる。また、他方の位相比較回路５としても、ディテクタＣとディテクタＤとに得られた受光信号に基づく２値化信号を入力するようにされる。
【００１３】
位相比較回路５、５では、上記のようにそれぞれ位相が異なるディテクタＡとディテクタＢとに得られた受光信号に基づく２値化信号、ディテクタＣとディテクタＤとに得られた受光信号に基づく２値化信号について位相比較を行い、この結果得られた位相比較信号を図示する加算回路６に対して出力する。
【００１４】
加算回路６においては、上記各位相比較信号を加算した結果得られた和信号をローパスフィルタ（ＬＰＦ）７に供給する。そして、ローパスフィルタ７において、上記位相比較信号の和信号から高周波成分が除去されたものが、図示するトラッキングエラー信号ＴＥとして出力される。
【００１５】
ここで、例えば上記構成により実現されるＤＰＤ法としては、記録トラックの高密度化に対しても比較的良好なトラッキングエラー信号が生成できることで、近年の高密度ディスクに対応する光ディスク装置において多用されている。
しかしながら、先にも述べたように光ディスク記録媒体の高記録密度化によって、記録ピットの長さが短かくなるようにされた場合には、受光信号の高周波化が助長され、特に最短ピット長の信号成分としては充分な振幅レベルが得られなくなる可能性がある。
例えば、実施の形態において想定するブルーレイディスクの場合では、最短で２Ｔによるピット長が存在し、受光信号中におけるこのような２Ｔのピット長による信号成分の振幅レベルは相当に低いものとなっている。
【００１６】
このように、受光信号が高周波化して振幅レベルが低下することによっては、特に最短ピット長による信号成分では部分的にノイズ成分に埋もれてしまう可能性が高く、このような部分においては正確な２値化を行うことができなくなってしまう。
そして、このようにノイズ成分の影響により正確な２値化が行われなければ、上記した位相比較信号としても正確な信号を得ることができなくなってトラッキングエラー信号ＴＥの精度としても悪化してしまうことになる。
【００１７】
そこで、実施の形態では、上記のようにしてノイズ成分に埋もれてしまう可能性の最も高い最短ピット長による信号成分のうち、所定以下の振幅レベルとなっている部分については２値化を行わないものとし、これによって正確な位相比較信号が得られるようにする。
そして、その実現にあたり実施の形態では、次に説明するようにして２値化回路４において所要のヒステリシス幅を持たせた閾値を設定するものとしている。
【００１８】
図２は、各２値化回路４に対して入力される受光信号と、２値化回路４に設定される各閾値との関係について説明するための波形図である。
図２において、図２（ａ）では、例えば実際には図２（ｂ）に示すような波形により得られる受光信号について、例えば２Ｔ、３Ｔ、５Ｔといった各ピット長に対応して得られる信号成分の波形を同時に示している。
そして、図２（ｂ）では、２値化回路４に対して入力される受光信号（図中入力信号）と、その結果得られる２値化信号との関係を示している。
先ず、実施の形態の２値化回路４においては、この図２に示されるようにして、２つの閾値ｔｈ１、ｔｈ２を設定するものとしている。
この場合、閾値ｔｈ１、閾値ｔｈ２の値は、受光信号の０レベルを中心としてそれぞれ絶対値が同じ値となるように設定される。
【００１９】
そして、実施の形態では、これら閾値ｔｈ１と閾値ｔｈ２とについて、最短とされる２Ｔのピット長による信号成分のうち、振幅レベルが所定以下となっているものについてはこれを検出しないようなヒステリシス幅を設定するものとしている。
すなわち、図２に示される２Ｔの信号成分のうち、破線により囲ったように充分な振幅が得られずノイズ成分に埋もれてしまう可能性があるものについては、これを検出しないための閾値ｔｈ１、閾値ｔｈ２を設定する。
換言すれば、この場合の閾値ｔｈ１、閾値ｔｈ２によるヒステリシス幅としては、上記のような２Ｔの信号成分のうちの充分な振幅が得られない場合の振幅よりは広く、且つ正常な２Ｔの信号成分に想定される振幅よりは狭くなるように設定するものである。
具体的には、２Ｔによるピット長（つまり最短ピット長）による信号成分の平均の振幅レベルと同等のヒステリシス幅を持たせることのできる閾値ｔｈ１、閾値ｔｈ２を設定する。
【００２０】
このような閾値ｔｈ１、閾値ｔｈ２の設定によれば、最短ピット長による信号成分であっても、充分な振幅レベルが得られずノイズ成分に埋もれてしまっている可能性のある信号成分については、これを２値化しないようにすることができる。またこれと共に、充分に振幅レベルが得られているとされる最短ピット長の信号成分と、それ以上のピット長でより大きな振幅レベルが得られる３Ｔ、５Ｔ等の信号成分については通常通り２値化を行うことができる。
さらに、上記のような閾値ｔｈ１、閾値ｔｈ２の設定によれば、２Ｔ（最短ピット長）以上の信号成分であっても同様にノイズに埋もれてしまう程度に振幅が低下してしまっている信号成分についても、２値化を行わないようにすることが可能となる。
すなわち、上記各閾値の設定によれば、ノイズ成分によって正確に２値化を行うことができない可能性のある信号成分については２値化を行わず、ノイズ成分よりも充分に大きな振幅が得られて正確に２値化を行うことができるとされる信号成分については２値化を行うことができるものである。
【００２１】
このようにして、上記ヒステリシス幅の設定によれば、正確に２値化を行うことのできる信号成分についてのみ位相比較を行うことができるので、各位相比較回路５、５にて得られる位相比較信号としても正確な位相関係を示す信号を得ることができる。
そして、このように位相比較信号として正確な信号が得られることで、トラッキングエラー信号ＴＥの精度悪化の防止が図られる。
【００２２】
但し、上記のようなヒステリシス幅の設定にあたっては、受光信号の振幅レベルが常に一定に得られるものでないことが考慮されなければならない。
例えば、ディテクタ２に対するレーザスポットのポジションずれ等が生じた場合には、各ディテクタＡ〜Ｄから出力される受光信号の振幅レベルとしても偏りが生じてしまう。
【００２３】
図３は、このようなレーザスポットのポジションずれが生じた場合の、各ディテクタＡ〜Ｄが出力する受光信号の波形について例示した図である。
なお、この場合も先の図２（ａ）と同様に、各図では２Ｔ、３Ｔ、５Ｔといった各ピット長に対応して得られる信号成分の波形を同時に示している。
ディテクタ２に対するレーザスポットのポジションずれが生じた場合、ディテクタＡ〜Ｄのうち一方の組のディテクタ側から出力される受光信号の振幅レベルが増大し、他方の組のディテクタ側から出力される受光信号の振幅レベルは低下するようにされる。
この図３では、それぞれ隣り合うディテクタＡ、ディテクタＢの組が出力する受光信号の振幅レベルが増大し、他のディテクタＣ、ディテクタＤから出力される受光信号の振幅レベルが低下する場合が示されている。
【００２４】
このようにして、ポジションずれ等により受光信号の振幅レベルが変化してしまうことによっては、閾値ｔｈ１、閾値ｔｈ２が固定とされてしまうと、意図した振幅レベル以下の信号成分を除去することができなくなってしまう。
つまり、例えばポジションずれがない場合に対応した各閾値の設定によっては、図３（ａ）、図３（ｂ）に示す振幅レベルが大きく変化した場合、図示するように各閾値ｔｈのレベルは受光信号レベルに対して相対的に小さくなってしまい、所望する振幅レベル以下の信号成分を除去することができなくなってしまう。
また、図３（ｃ）、図３（ｄ）に示す振幅レベルが小さく変化する場合では、各閾値ｔｈのレベルは受光信号レベルに対して相対的に大きくなり、例えば本来は除去されるべきでない３Ｔの信号成分まで除去されてしまうといった可能性がある。
【００２５】
そこで、実施の形態では、２値化回路４に対して設定する閾値ｔｈ１、閾値ｔｈ２のヒステリシス幅を、受光信号の振幅レベル（エンベロープ幅）に応じて可変するものとしている。そして、このために、先の図１に示した２値化回路４としては、次の図４に示すように構成するものとしている。
【００２６】
図４において、２値化回路４内には、可変ヒステリシスコンパレータ１０、ピークホールド回路１１、ボトムホールド回路１２、エンベロープ幅検出回路（Peak-Bottom）１３、乗算回路（×Ａ）１４、ローパスフィルタ（ＬＰＦ）１５が備えられる。
先ず、ピークホールド回路１１、ボトムホールド回路１２に対しては、図１に示したイコライザ３を介して受光信号が供給される。これらピークホールド回路１１、ボトムホールド回路１２は、供給される受光信号のピークレベルをホールドした信号Peak、ボトムレベルをホールドした信号Bottomを各々生成し、これをエンベロープ幅検出回路１３に供給する。
【００２７】
エンベロープ幅検出回路１３は、ピークホールド回路１１より供給される信号Peakに対し、ボトムホールド回路１２より供給される信号Bottomを減算し、これによって受光信号のエンベロープ幅を表す信号Peak-Bottomを生成し、これを乗算回路１４に対して出力する。
【００２８】
乗算回路１４は、上記信号Peak-Bottomに対し予め設定された係数Ａを乗算し、その結果をローパスフィルタ１５に供給する。
ローパスフィルタ１５は、上記乗算回路１４からの出力信号を平滑化し、これを閾値指令信号として可変ヒステリシスコンパレータ１０に対して供給する。
【００２９】
可変ヒステリシスコンパレータ１０は、上記閾値指令信号に基づいて閾値ｔｈ１、閾値ｔｈ２を可変するようにして設定すると共に、これら閾値ｔｈ１、閾値ｔｈ２に基づいて、入力される受光信号についての２値化を行うようにされる。
この可変ヒステリシスコンパレータ１０により得られた２値化信号は、２値化回路４の２値化出力として位相比較回路５に対して供給される。
【００３０】
上記構成による２値化回路４により得られる動作を、次の図５の波形図を参照して説明する。
図５において、図５（ａ）では、先の図３（ａ）（ｂ）と同様に例えばレーザスポットのポジションずれ等により振幅レベルが増大した場合の受光信号の波形を示し、図５（ｂ）では、先の図３（ｃ）（ｄ）のように振幅レベルが低下した場合の受光信号の波形について示している。
【００３１】
先ず、これらの図において、ピークホールド回路１１、ボトムホールド回路１２によっては、図示するように受光信号のピークレベルをホールドした信号Peak、ボトムレベルをホールドした信号Bottomが得られる。そして、これら受光信号のピークレベルとボトムレベルとの間のレベルとなる受光信号のエンベロープ幅が、信号Peak-Bottomとしてエンベロープ幅検出回路１３にて演算される。
【００３２】
そして、先の図４の説明から理解されるように、この場合の２値化回路４においては、上記のように得られた受光信号のエンベロープ幅に応じて、閾値ｔｈ１、閾値ｔｈ２によるヒステリシス幅が可変設定されることになる。
つまり、これらの図を比較してわかるように、この場合は図５（ａ）に示す受光信号の振幅レベル（エンベロープ幅）の増加に応じては、閾値ｔｈ１と閾値ｔｈ２とによるヒステリシス幅も拡大する傾向となり、図５（ｂ）に示す受光信号の振幅レベルの減少に応じては閾値ｔｈ１と閾値ｔｈ２とによるヒステリシス幅は縮小する傾向となるものである。
【００３３】
そして、先の図４に示した構成によれば、この場合のヒステリシス幅は、受光信号のエンベロープ幅を示す信号Peak-Bottomに対して乗算回路１４にて乗算する係数Ａの値によって決定されるものである。
従って、この係数Ａの値として、上記信号Peak-Bottomに対して乗算されることで、最短ピット長による信号成分に想定される正常な振幅レベルよりも狭く、且つノイズ成分に想定される振幅レベルよりも広くなるヒステリシス幅を設定可能な値が設定されれば、例えばポジションずれ等による受光信号の振幅レベルの変化に対しても、最短ピット長による信号成分のうちの振幅レベルが所定以下に低下している部分については確実に２値化を行わなないようにすることができる。
具体的に、このような係数Ａとしては、上記信号Peak-Bottomに対して乗算されることで最短ピット長による信号成分の平均の振幅レベルと同等のヒステリシス幅を設定可能な値を設定することとしている。
なお、このような係数Ａの値は、予め受光信号のエンベロープ幅と最短ピット長による信号成分の振幅レベルとの比を割り出した結果に基づいて設定することができる。
【００３４】
このようにして実施の形態によれば、受光信号のレベルが変化する場合にも、そのエンベロープ幅に応じたヒステリシス幅による閾値ｔｈ１、閾値ｔｈ２が設定されることで、振幅レベルが所定以下に低下しノイズ成分に埋もれてしまっている可能性の高い信号成分については確実にその２値化を行わないようにすることができる。
これによれば、例えばポジションずれによりディテクタ２に対する反射光のスポット位置ズレが生じた場合にも、トラッキングエラー信号ＴＥの精度悪化を防止できる。
また、このように受光信号のエンベロープ幅に応じたヒステリシス幅を設定することができれば、ポジションずれ以外の要因で受光信号のレベルが変化する場合に対しても、トラッキングエラー信号ＴＥの精度悪化を防止できる。
【００３５】
続いては、実施の形態の変形例について説明する。
この変形例では、上記したトラッキングエラー信号生成回路１の構成に加え、さらにイコライザ３の周波数特性を従来とは異なるように設定したものである。
【００３６】
先ず、図６に、従来のイコライザ３の周波数特性について示す。
通常、受光信号についてイコライジングを行う場合には、最も高周波であり最も振幅レベルが小さくなるとされる高周波の信号成分の振幅レベルを確保するような周波数特性が与えられる。このため、従来のイコライザ３においては、ブースト帯域の中心を、図示するように最も高周波となる２Ｔのピット長による信号成分の周波数に一致させるように設定されている。
例えば、ブルーレイディスクの場合、図示するように２Ｔの信号成分の周波数は１６．５ＭHz程度、３Ｔの信号成分の周波数は１１ＭHz程度、４Ｔの信号成分の周波数は８ＭHz程度とされているが、２Ｔに対応する１６．５ＭHz付近がブースト帯域の中心となるようにされていたものである。
また、これに伴い、３Ｔに対応する１１ＭHz、４Ｔに対応する８ＭHz付近は、ブースト帯域におけるゲインのピーク値（例えばこの場合は１４ｄＢ）よりも低いゲインが与えられるようにされていた。
【００３７】
このようなイコライザ３の設定による、通常時と摂動時とで得られる受光信号の波形を図７に示す。
図７において、図６に示したイコライザ３の設定によると、摂動がない通常時においては、図７（ａ）に示すような受光信号の波形が得られる。つまり、この場合は最も高周波寄りにブーストがかけられることで、２Ｔの信号成分が最も増加する傾向とされている。
また、３Ｔの信号成分は、２Ｔの信号成分よりもブーストがかけられていない状態となっているが、２Ｔの信号成分よりも充分な振幅が得られる。
【００３８】
一方、図７（ｂ）に示される摂動時においては、受光信号全体のレベルが低下する傾向となる。
そして、このように摂動時において受光信号のレベルが低下した際、上記のように高周波成分にブーストの中心を設定する場合では、２Ｔの信号成分はブーストされるものの元々振幅が小さいものとされることから、充分な振幅が得られなくなる部分が生じる可能性が高い。
また、３Ｔによる中周波成分は、２Ｔによる高周波成分よりは振幅が得られるが、例えば図示する５Ｔによる信号成分のような低周波成分と比較すると充分な振幅が得られず、よって２Ｔの場合と同様に充分な振幅が得られなくなる部分が生じる可能性がないとはいえない。
つまり、これによると、上記したような従来のイコライザ３の設定では、確実に振幅レベルが得られるのは４Ｔ、５Ｔといった低周波成分のみとなってしまう可能性がないとはいえず、仮に、このようにして４Ｔ、５Ｔといった低域の信号成分しか得られなくなってしまった場合には、受光信号中の低周波成分のみを利用してしかトラッキングエラー信号ＴＥを生成することができず、その分トラッキングエラー信号ＴＥの精度が悪化する虞がある。
【００３９】
そこで、変形例においては、イコライザ３の周波数特性として、次の図８に示すような特性が得られるようにしている。
つまり、図８に示されるように、イコライザ３によるブースト帯域を従来よりも低周波寄りにシフトさせるようにしたものである。
具体的には、ブースト帯域の中心が、２Ｔの信号成分の周波数と３Ｔの信号成分の周波数とのほぼ中間に一致するようにして設定している。つまり、この場合には、２Ｔによる信号成分の周波数（１６．５ＭHz）と、３Ｔによる信号成分の周波数（１１ＭHz）のほぼ中間となる、１３〜１４ＭHz付近にブースト帯域の中心を合わせるようにしている。
【００４０】
このようにイコライザ３のブースト帯域を従来よりも低周波寄りにシフトさせた場合の、通常時と摂動時において得られる受光信号の波形を図９に示す。
先ず、このようにブースト帯域が低周波寄りに設定されたことで、図９（ａ）に示す通常時において、２Ｔの信号成分の振幅レベルＰ−2Tは、先の図７（ａ）に示した２Ｔの信号成分の振幅レベルＰ−2Tよりも若干低下するものとなる。
また、図９（ａ）において、この場合の３Ｔの信号成分の振幅レベルＰ−3Tとしては、先の図７（ａ）に示したＰ−3Tよりも増大するようにされる。
【００４１】
そして、摂動時においては、図９（ｂ）に示されるように、通常時と同様にＰ−2Tのレベルは図７（ｂ）の場合より若干低下するものとなる。
これに対し、３Ｔの信号成分としては、先の図７（ｂ）に示した従来の場合よりもブーストがかけられたことで、従来よりも大きな振幅レベルを保つことができる。
【００４２】
ここで、上記のように２Ｔの信号成分の振幅を低下させるような設定は、従来のように２Ｔの信号成分のすべてについて２値化を行う構成では想定できないものとなるが、実施の形態では、このように２Ｔの信号成分が低下しても、もともとノイズ成分に埋もれる可能性が高い所定以下の振幅レベルによる２Ｔの信号成分については２値化を行わないようにしているので、トラッキングエラー信号ＴＥの生成上問題となることはない。
つまり、このことからも理解されるように、実施の形態では、２Ｔの信号成分のうち充分な振幅が得られているもののみを検出するようにされることから、２Ｔの信号成分についてすべて検出するようにされていた従来の場合とは異なり、より低周波側にブースト帯域をシフトさせることができたものである。
そして、このようなブースト帯域の低周波寄りの設定が可能となったことで、図７（ｂ）に示した従来の摂動時では、２Ｔと共に３Ｔの信号成分についても充分な振幅を得ることができなくなる可能性があったものを、実施の形態では摂動に対しても３Ｔの信号成分は振幅を充分に保つことが可能となる。
【００４３】
このようにして、摂動時においても３Ｔの信号成分として充分な振幅が得られることで、従来の摂動時のように低周波成分のみによってしかトラッキングエラー信号ＴＥを生成できなくなってしまうといった事態をより確実に防止でき、これによって摂動時におけるトラッキングエラー信号ＴＥの精度悪化の抑制が図られる。すなわち、摂動に対するトラッキングエラー信号ＴＥの耐性向上を図ることができる。
【００４４】
なお、変形例においては、イコライザ３のブースト帯域の中心を２Ｔの信号周波数と３Ｔの信号周波数とのほぼ中間に設定するものとしているが、これにより２Ｔの信号成分についてもブーストがかけられ、正常に得られる２Ｔの信号成分については２値化を行うことができる。つまり、これによって２Ｔの信号成分のすべてが２値化されないことによるトラッキングエラー信号の精度悪化が防止されているものである。
【００４５】
以上、実施の形態について説明したが、本発明としては、これまでに説明した構成に限定されるものではない。
例えば、実施の形態では、再生専用のブルーレイディスクについて再生を行う光ディスク装置にトラッキングエラー信号生成回路が適用される場合を例示したが、記録可能なブルーレイディスクに対する記録再生が可能な光ディスク装置に適用することも可能である。
また、ブルーレイディスクに限らず、他の光ディスク記録媒体に対応する光ディスク装置に対しても好適に適用できる。
また、２値化回路の構成としても、図４に示した構成に限定されるものでなく、受光信号のエンベロープ幅と係数Ａとに応じてヒステリシス幅を可変することができる構成とされれば他の構成を採ることも可能である。
【図面の簡単な説明】
【００４６】
【図１】本発明における実施の形態としてのトラッキングエラー信号生成回路の構成を示すブロック図である。
【図２】２値化回路に対して入力される受光信号と、２値化回路に設定される各閾値との関係について説明するための波形図である。
【図３】ディテクタに対する反射光スポットがズレた場合の受光信号の波形を示した波形図である。
【図４】実施の形態のトラッキングエラー信号生成回路が備える２値化回路の内部構成について示すブロック図である。
【図５】実施の形態のトラッキングエラー信号生成回路において得られる動作について説明するための波形図である。
【図６】実施の形態の変形例としてのトラッキングエラー信号生成回路について説明するための図として、従来のイコライザの周波数特性について示した特性図である。
【図７】図６に示されるイコライザの周波数特性に応じて得られる受光信号の波形を示した波形図である。
【図８】変形例としてのトラッキングエラー信号生成回路が備えるイコライザの周波数特性について示した特性図である。
【図９】図８に示されるイコライザの周波数特性に応じて得られる受光信号の波形を示した波形図である。
【符号の説明】
【００４７】
１  トラッキングエラー信号生成回路、２  ディテクタ、３  イコライザ、４  ２値化回路、５  位相比較回路、６  加算回路、７、１５  ローパスフィルタ（ＬＰＦ）、１０  可変ヒステリシスコンパレータ、１１  ピークホールド回路、１２  ボトムホールド回路、１３  エンベロープ幅検出回路（Peak-Bottom）、１４  乗算回路（×Ａ）
【図１】
2006053968.tif 000003
【図２】
2006053968.tif 000004
【図３】
2006053968.tif 000005
【図４】
2006053968.tif 000006
【図５】
2006053968.tif 000007
【図６】
2006053968.tif 000008
【図７】
2006053968.tif 000009
【図８】
2006053968.tif 000010
【図９】
2006053968.tif 000011